(57)【要約】    【課題】  鍵構造体において基端部と木質部との間近傍における上下方向の剛性を高める。    【解決手段】  鍵構造体Ｋ１は、上板体１０、鍵ベース体２０及び木質部３０とから構成される。木質部３０は、鍵ベース体２０の延設部２２の上面２２ａに接着固定され、木質部３０と基端部２１との間には、長手方向における間隙ＣＬ１が生じている。上板体１０は、木質部３０の上面３０ａ及び鍵ベース体２０の基端部２１の上面２１ｅに接着固定される。特に、上板体１０の後部１１が、間隙ＣＬ１を挟んで基端部２１と木質部３０とに橋渡しされた状態となっている。これにより、基端部２１と木質部３０とが後部１１を介して固定状態とされ、鍵構造体Ｋ１の特に間隙ＣＬ１近傍の上下方向の剛性が高まっている。【選択図】    図１
2005195795.tif 000002
【特許請求の範囲】
【請求項１】
基端部と該基端部から奏者方向に延設された延設部とが一体に形成されて成る長尺の鍵ベース体と、前記鍵ベース体の前記基端部との間に該鍵ベース体の長手方向における間隙部を有して前記鍵ベース体の前記延設部の上部に固定された木質部と、演奏操作面を有し前記木質部の上部に固定された上板体とから構成され、鍵盤装置に取り付けられたとき、押鍵操作により奏者側端部が上下方向に回動し、鍵として機能する鍵構造体であって、
前記鍵ベース体の前記基端部と前記上板体とが、前記間隙部の上方において、前記上板体と一体または別体の接続部を介して固定状態にされたことを特徴とする鍵構造体。
【請求項２】
前記鍵ベース体の前記延設部のうち少なくとも前記間隙部の近傍部分が薄肉に形成されたことを特徴とする請求項１記載の鍵構造体。
【請求項３】
前記接続部のうち前記間隙部の近傍部分の上下方向の剛性が、前記鍵ベース体の前記延設部のうち前記間隙部の近傍部分の上下方向の剛性に比し低いことを特徴とする請求項１記載の鍵構造体。
【請求項４】
前記接続部のうち前記間隙部の近傍部分に、前記鍵ベース体の前記基端部に固定状態とされていない領域が設けられ、該領域の前記長手方向における長さが、前記木質部の上下方向の厚みに応じた所定長さ以上確保されていることを特徴とする請求項１記載の鍵構造体。
【請求項５】
前記鍵ベース体、前記上板体及び前記接続部はいずれも合成樹脂で構成され、常温常湿である定常環境下において、前記接続部が前記木質部に固定状態にあって且つ前記接続部と前記鍵ベース体の前記基端部とを固定状態にする前には、前記接続部と前記基端部との両対向部間に上下方向の間隙部が生じるように構成した後、前記両対向部を固定状態にすることで、前記定常環境下において、前記接続部の前記対向部に、前記基端部の前記対向部に対する引張力が生じるように構成されたことを特徴とする請求項１記載の鍵構造体。
【請求項６】
前記鍵ベース体の前記基端部と前記接続部との固定部分において、前記接続部に上下方向の貫通穴が設けられたことを特徴とする請求項１〜５のいずれか１項に記載の鍵構造体。
【発明の詳細な説明】
【技術分野】
【０００１】
本発明は、木質部を有する鍵に適用される鍵構造体に関する。
【背景技術】
【０００２】
従来、下記特許文献１、２のように、押鍵操作により回動する鍵として機能する鍵構造体の一部に木材等の木質部を採用したものが知られている。このような木質系の鍵構造体では、少なくとも、演奏時及び非演奏時に外観となって視認されるいわゆる「見えがかり部位」に木質部を配することで、木質感が付与され、高級感が得られる。これらの鍵構造体は、木質部が、例えば、演奏操作面を含んだ合成樹脂製の上板体の下面及び合成樹脂製の鍵ベース体の上面に接着等で固定されて保持される。上板体や鍵ベース体は鍵形状に対応して長尺で、これら保持部材と木質部とで鍵構造体が構成される。
【特許文献１】特開２００３−２７１１２７号公報
【特許文献２】特開２００３−２７１１２８号公報
【発明の開示】
【発明が解決しようとする課題】
【０００３】
しかしながら、上記特許文献１、２の鍵構造体では、温度変化や湿度変化等の環境変化による木質部の寸法変化や、製造誤差を吸収する等のため、鍵ベース体の基端部と木質部との間に、長手方向における間隙が設けられており、この間隙近傍においては、木質部が鍵ベース体にのみ保持される状態となる。そのため、例えば、押鍵時等には、鍵ベース体の上記間隙近傍に応力が集中することとなり、鍵構造体全体の曲げ剛性が低い。
【０００４】
従って、剛性を高くして耐久性や精度を高める上で、改善の余地があった。特に、鍵構造体の剛性を高める上では、環境変化で変形する木質部の特性だけでなく、金型成形により変形する合成樹脂製の上板体及び鍵ベース体の特性をも総合的に考慮することが望まれる。
【０００５】
本発明は上記従来技術の問題を解決するためになされたものであり、その目的は、基端部と木質部との間近傍における上下方向の剛性を高めることができる鍵構造体を提供することにある。
【課題を解決するための手段】
【０００６】
上記目的を達成するために本発明の請求項１の鍵構造体は、基端部（２１）と該基端部から奏者方向に延設された延設部（２２）とが一体に形成されて成る長尺の鍵ベース体（２０）と、前記鍵ベース体の前記基端部との間に該鍵ベース体の長手方向における間隙部（ＣＬ１）を有して前記鍵ベース体の前記延設部の上部（２２ａ）に固定された木質部（３０）と、演奏操作面（１０ａ）を有し前記木質部の上部（３０ａ）に固定された上板体（１０）とから構成され、鍵盤装置に取り付けられたとき、押鍵操作により奏者側端部が上下方向に回動し、鍵として機能する鍵構造体（Ｋ１）であって、前記鍵ベース体の前記基端部と前記上板体とが、前記間隙部の上方において、前記上板体と一体または別体の接続部（１１）を介して固定状態にされたことを特徴とする。
【０００７】
この構成によれば、鍵ベース体の基端部と上板体とが、間隙部の上方において、接続部を介して固定状態にされるので、基端部と木質部との間近傍における上下方向の剛性を高めることができる。
【０００８】
好ましくは、本発明の鍵構造体は、上記請求項１の構成において次のように構成される。すなわち、前記鍵ベース体の前記延設部のうち少なくとも前記間隙部の近傍部分（２２Ｂｒ）が薄肉に形成されたことを特徴とする（請求項２）。あるいは、前記接続部のうち前記間隙部の近傍部分（４１Ｂｒ）の上下方向の剛性が、前記鍵ベース体の前記延設部のうち前記間隙部の近傍部分（６２Ｂｒ）の上下方向の剛性に比し低いことを特徴とする（請求項３）。あるいは、前記接続部のうち前記間隙部の近傍部分に、前記鍵ベース体の前記基端部に固定状態とされていない領域（４１Ｂｒ２）が設けられ、該領域の前記長手方向における長さ（Ｌ１）が、前記木質部の上下方向の厚みに応じた所定長さ以上確保されていることを特徴とする（請求項４）。あるいは、前記鍵ベース体、前記上板体及び前記接続部はいずれも合成樹脂で構成され、常温常湿である定常環境下において、前記接続部（７１）が前記木質部に固定状態にあって且つ前記接続部と前記鍵ベース体の前記基端部（８１）とを固定状態にする前には、前記接続部と前記基端部との両対向部（７１ａ、８１ｂ）間に上下方向の間隙部（ＣＬ２）が生じるように構成した後、前記両対向部を固定状態にすることで、前記定常環境下において、前記接続部の前記対向部（７１ａ）に、前記基端部の前記対向部（８１ｂ）に対する引張力（Ｆ１）が生じるように構成されたことを特徴とする（請求項５）。あるいは、前記鍵ベース体の前記基端部と前記接続部との固定部分において、前記接続部に上下方向の貫通穴（１１ａ、１１ｂ、１１ｃ）が設けられたことを特徴とする（請求項６）。なお、上記括弧内は例示である。
【発明の効果】
【０００９】
本発明の請求項１に係る鍵構造体によれば、基端部と木質部との間近傍における上下方向の剛性を高めることができる。
【発明を実施するための最良の形態】
【００１０】
以下、本発明の実施の形態を図面を参照して説明する。
【００１１】
（第１の実施の形態）
図１（ａ）は、本発明の第１の実施の形態に係る鍵構造体の平面図である。同図（ｂ）は、同鍵構造体の右側面図、同図（ｃ）は同鍵構造体の後部を示す分解斜視図である。
【００１２】
本実施の形態では、一例として、鍵構造体Ｋ１が、Ｃ鍵（音高Ｃ用の白鍵）に適用された構成を示す。なお、鍵構造体Ｋ１は、白鍵だけでなく、黒鍵にも適用してもよい。以降、鍵構造体Ｋ１の奏者側を前方と呼称し、奏者側からみた右側を右方と呼称する。鍵構造体Ｋ１は主に、いずれも合成樹脂で構成される上板体１０及び鍵ベース体２０と、木質系材製の木質部３０とから構成される。
【００１３】
鍵ベース体２０は、基端部２１と、該基端部２１から前方（奏者方向）に延設される延設部２２とが一体に形成されて構成される。基端部２１の下方に開口する凹部内には、回動支点２３が一体に形成されている。また、図１（ｃ）に示すように、基端部２１の上面２１ｅには、接着剤溜まり用溝２１ａ、２１ｂ、及び押鍵操作検出に用いられるセンサリード１４が収容される溝２１ｃ、２１ｄ等が形成されている。
【００１４】
図１（ａ）、（ｂ）に示すように、木質部３０は、鍵ベース体２０の延設部２２とほぼ同じ長さを有し、延設部２２の上面２２ａに接着固定される。木質部３０と基端部２１との間には、長手方向における間隙ＣＬ１が生じている。この間隙ＣＬ１は、主として、長手方向における木質部３０と鍵ベース体２０との寸法ばらつきを吸収するため、及び、環境変化に起因する木質部３０の伸縮、変形による木質部３０と鍵ベース体２０との固定状態の悪化を防止するために設けられるものである。
【００１５】
上板体１０は、演奏操作面１０ａを有し、木質部３０よりやや長く形成される。上板体１０の、間隙ＣＬ１よりやや前方位置から後端までの部分である後部１１には、後述するネジ１３を挿通するための貫通穴１１ａ、及び接着剤注入用の貫通穴１１ｂ、１１ｃ等が形成されている（図１（ｃ）参照）。上板体１０は、木質部３０の上面３０ａ及び鍵ベース体２０の基端部２１の上面２１ｅの双方に接着固定されている。これに加えて、上板体１０の後部１１は、鍵ベース体２０の基端部２１に対して、ネジ１３によっても固定されている。
【００１６】
すなわち、鍵ベース体２０に木質部３０を接着固定した後、木質部３０の上面３０ａと上板体１０との間に接着剤を介在させて、上板体１０を鍵ベース体２０及び木質部３０の上方から被せる。そして、図１（ｃ）に示すように、係止部材１２に挿通されたネジ１３を、貫通穴１１ａに挿通して基端部２１に仮螺着する。その際、センサリード１４は溝２１ｃを、２１ｄに収める。その後、貫通穴１１ｂ、１１ｃから接着剤を注入して、接着剤溜まり用溝２１ａ、２１ｂに接着剤を行き渡らせ、ネジ１３を本螺着することで、鍵構造体Ｋ１の組み付けが完了する。鍵構造体Ｋ１は、不図示の鍵盤装置に取り付けられたとき、回動支点２３を中心として先端部が上下方向に回動自在になる。
【００１７】
木質部３０は、鍵構造体Ｋ１に木質感を付与する役割を果たす。すなわち、隣接する鍵の押鍵時には、鍵構造体Ｋ１の側面の一部が奏者から見えるが、木質系材製の木質部３０を側面の一部として視認されるように配したことから、奏者にとっては、鍵構造体Ｋ１が上面や前面を除いて木材で構成されているかのように見える。これにより、鍵構造体Ｋ１に木質感が付与され、高級感が与えられる。
【００１８】
ところで、上板体１０の後部１１は、基端部２１と木質部３０とに橋渡しされた状態となっている。間隙ＣＬ１の上方において基端部２１と木質部３０とを連結する後部１１の部分を特に、「ブリッジ部１１Ｂｒ」と呼称する。仮に、基端部２１と木質部３０とがブリッジ部１１Ｂｒで連結されておらず、間隙ＣＬ１が上方に開放されている状態であるとすると、間隙ＣＬ１近傍においては、木質部３０が鍵ベース体２０によってのみ保持される状態となるため、押鍵時等には、鍵ベース体２０の延設部２２の間隙ＣＬ１近傍部分であるブリッジ部２２Ｂｒに応力が集中することとなり、鍵構造体Ｋ１全体としての曲げ剛性は低いものとなる。ところが、本実施の形態では、上板体１０の後部１１で基端部２１と木質部３０とを連結して固定状態としたので、基端部２１と木質部３０との間、特に間隙ＣＬ１近傍の上下方向の剛性が高まっている。
【００１９】
また、鍵ベース体２０の延設部２２は上下方向に薄い薄板状に形成されており、その高さ方向の厚みは、上板体１０の後部１１の厚みよりも薄くなっている。特に、ブリッジ部２２Ｂｒが薄肉に形成されていることで、金型成形により生じる鍵ベース体２０の上下方向の反りが鍵構造体Ｋ１全体に与える影響を少なくすることができる。
【００２０】
すなわち、鍵ベース体２０は、基端部２１と延設部２２との境界部分で上下方向の厚みが急変するため、金型成形により、該境界部分から基端部２１に対して延設部２２が上下方向に反りやすい。大きな反りが生じた鍵ベース体２０に木質部３０及び上板体１０を組み付けたとき、仮にブリッジ部２２Ｂｒが厚く形成されているとすると、鍵ベース体２０が無理に矯正されてその内部に大きな残留応力が生じ、これが原因となって（リバウンドによって）鍵構造体Ｋ１全体が歪んでしまう。ところが本実施の形態では、ブリッジ部２２Ｂｒが薄肉形成されていることから、鍵構造体Ｋ１として組み付けられる際に、鍵ベース体２０の上下方向の変形が、大きな残留応力を生じることなく容易に矯正され、組み付け後の鍵構造体Ｋ１の歪みを小さくすることができる。一方、鍵構造体Ｋ１全体としての剛性は、主にブリッジ部１１Ｂｒにより確保されるため、少なくともブリッジ部１１Ｂｒはブリッジ部２２Ｂｒよりも厚く、乃至高い剛性となるように形成される。
【００２１】
本実施の形態によれば、基端部２１と木質部３０とが、間隙ＣＬ１の上方において上板体１０の後部１１によって連結固定されるので、鍵構造体Ｋ１の、特に基端部２１と木質部３０との間近傍における上下方向の剛性を高めることができる。また、ブリッジ部２２Ｂｒが薄肉で形成されたので、組み付けられた後の鍵構造体Ｋ１の歪みを小さくすることができる。
【００２２】
また、上板体１０の後部１１に、貫通穴１１ａ、１１ｂ、１１ｃを設け、ネジ止めや接着剤注入に用いるようにしたので、ネジ１３や接着剤という他材を介した上板体１０と鍵ベース体２０との固定が容易になっている。なお、貫通穴の用途はこれら例示したものに限定されない。
【００２３】
なお、上板体１０の後部１１と鍵ベース体２０の基端部２１とは、ネジ止め及び接着で固定するようにしたが、これに限らず、いずれか一方のみでもよいし、何らかの他の固定手法で固定状態としてもよい。
【００２４】
なお、本実施の形態では、木質部３０と鍵ベース体２０の基端部２１とを固定的に接続する接続部は、上板体１０の後部１１であって上板体１０と一体のものとしたが、これに限るものでなく、上板体１０とは別体の部材であってもよく、少なくともブリッジ部１１Ｂｒに相当する部分を含む部材であればよい。
【００２５】
（第２の実施の形態）
図２（ａ）は、本発明の第２の実施の形態に係る鍵構造体の後半部の右側面図である。同図（ｂ）、（ｃ）は同鍵構造体の間隙部近傍の右側面図である。
【００２６】
本発明の第２の実施の形態の鍵構造体Ｋ２は、第１の実施の形態の鍵構造体Ｋ１に対して、上板体及び鍵ベース体の形状が異なり、その他の構成は同様である、なお、第１の実施の形態と同じ構成要素には同一符号が付してある。貫通穴１１ａ、１１ｂ、１１ｃ等の図示は省略されているが、第１の実施の形態と同様に設けられている。
【００２７】
図２（ａ）に示すように、鍵構造体Ｋ２においては、鍵ベース体６０は、その延設部６２が、鍵構造体Ｋ１の鍵ベース体２０の延設部２２よりも厚く形成され、その他は同様に構成される。また、鍵ベース体４０は、その後部１１が薄板状に形成され、その他は鍵構造体Ｋ１の上板体１０と同様に構成される。木質部３０と鍵ベース体６０の基端部６１とは、鍵ベース体４０の後部４１を介して固定的に接続されている。
【００２８】
ここで、後部４１のうち間隙ＣＬ１の上方部分であるブリッジ部４１Ｂｒと鍵ベース体６０の延設部６２のうち間隙ＣＬ１の下方部分であるブリッジ部６２Ｂｒとを比べると、ブリッジ部４１Ｂｒの方がブリッジ部６２Ｂｒよりも薄く、上下方向の剛性が十分に低くなっている。
【００２９】
上述したように、木質部３０は、環境変化により寸法が変化し、例えば、高湿下では膨張し（図２（ｂ）参照）、低湿下では収縮する（図２（ｃ）参照）という特性がある。ところが、本実施の形態では、ブリッジ部４１Ｂｒの方がブリッジ部６２Ｂｒよりも低剛性であるため、同図（ｂ）、（ｃ）に示すように、木質部３０の高さが変化したときであっても、ブリッジ部４１Ｂｒが上下方向に容易に変形し、ブリッジ部６２Ｂｒの変形がほとんど回避される。
【００３０】
すなわち、木質部３０の寸法誤差乃至変形をブリッジ部４１Ｂｒが吸収し、鍵ベース体６０の延設部６２の変形を抑制することができる。鍵ベース体６０には、図示しないが、鍵アクチュエータ、鍵復帰バネ、キー動作ガイド等の鍵機能部が設けられることが多いため、これら機能部の精度を維持するべく、変形は極力回避しなければならないが、ブリッジ部４１Ｂｒ変形したとしても、上板体４０の特に後部４１は非見えがかり部となって外観に影響せず、鍵機能にも影響がほとんどない。このような事情を考慮し、ブリッジ部４１Ｂｒに木質部３０の寸法変化の吸収を大きく負担させることで、外観に影響を与えることなく鍵機能の維持を図っている。なお、このことは、木質部３０の製造誤差による寸法誤差に対しても有効である。
【００３１】
本実施の形態によれば、鍵構造体Ｋ２の、基端部６１と木質部３０との間近傍における上下方向の剛性を高めることに関し、第１の実施の形態と同様の効果を奏するだけでなく、加工精度や環境変化に起因する木質部３０の上下方向の寸法誤差乃至変化があっても、ブリッジ部４１Ｂｒがそれを吸収することで、鍵ベース体６０、ひいては鍵構造体Ｋ２全体の変形を抑制することができる。
【００３２】
（第３の実施の形態）
図３（ａ）は、本発明の第３の実施の形態に係る鍵構造体の後半部の右側面図である。同図（ｂ）、（ｃ）は同鍵構造体の間隙部近傍の右側面図である。
【００３３】
本発明の第３の実施の形態の鍵構造体Ｋ３は、上記第２の実施の形態の鍵構造体Ｋ２の鍵ベース体６０の基端部６１に段差部を設けた点が鍵構造体Ｋ２と異なり、その他の構成は第２の実施の形態と同様である。なお、第２の実施の形態と同じ構成要素には同一符号が付してある。
【００３４】
図３（ａ）に示すように、鍵構造体Ｋ３においては、鍵ベース体６０の基端部６１の前端部上部に段差部６１ａが形成されている。鍵ベース体４０の後部４１は、基端部６１に対して、段差部６１ａより後方部分が固定されている。従って、鍵構造体Ｋ３の長手方向において、後部４１の、上記間隙ＣＬ１と段差部６１ａを併せた長さＬ１の領域が、基端部６１及び木質部３０のいずれにも鍵ベース体４０の後部４１が固定状態とされていない領域となっている。この領域を「ブリッジ部４１Ｂｒ２」と呼称する。そして、このブリッジ部４１Ｂｒ２の長さＬ１は、木質部３０の上下方向の厚みに応じて設定されており、例えば、木質部３０の上下方向の厚みの３０％以上の値（所定長さ）（例えば３ｍｍ）以上に設定される。
【００３５】
上記第２の実施の形態の鍵構造体Ｋ２では、鍵ベース体４０の後部４１のブリッジ部４１Ｂｒは間隙ＣＬ１相当の長さしか有しないため、上下方向に変形するとき、側面視Ｓ字状に小さく撓むことになる。これによって、ブリッジ部４１Ｂｒの反力が基端部６１及び木質部３０に加わり、ブリッジ部４１Ｂｒの破壊や、後端エビ反り等のように鍵構造体Ｋ２を変形させる原因に成り得る。これに対し、本第３の実施の形態の鍵構造体Ｋ３では、ブリッジ部４１Ｂｒ２の長さＬ１を長くとっていることから、図３（ｂ）、（ｃ）に示すように、木質部３０の高さが変化したときにおける、ブリッジ部４１Ｂｒ２のＳ字状の撓みを鍵構造体Ｋ２に比し緩やかにすることができる。これにより、鍵構造体Ｋ３の歪みを小さくすることができる。
【００３６】
本実施の形態によれば、第２の実施の形態と同様の効果を奏するだけでなく、木質部３０の上下方向の寸法誤差乃至変化を吸収しようとして撓む上板体４０のブリッジ部４１Ｂｒ２の変形を緩やかにして、鍵構造体Ｋ３の歪みを一層小さくすることができる。
【００３７】
（第４の実施の形態）
図４（ａ）、（ｂ）は、本発明の第４の実施の形態に係る鍵構造体の後半部の間隙部近傍の右側面図である。同図（ａ）は上板体の後部の固定前、同図（ｂ）は上板体の後部の固定後の状態をそれぞれ示す。
【００３８】
本発明の第４の実施の形態の鍵構造体Ｋ４は、上記第３の実施の形態の鍵構造体Ｋ３に比し、鍵ベース体の基端部の厚み、基端部の段差部の長さが主に異なる。
【００３９】
まず、上板体７０は、上板体４０と同様に構成され、金型成形により、上板体７０の後部７１が、上板体７０の前半部から理想的に真っ直ぐ後方に延設されているものとする。一方、鍵ベース体８０の基端部８１の前端部上部に段差部８１ａが形成されている。基端部８１の段差部８１ａより後方部分の厚み（高さ）Ｈ１は、鍵構造体Ｋ３の鍵ベース体６０における同部分の厚みより薄く形成されている。鍵ベース体８０のその他の部分は鍵ベース体６０と同様に構成される。組み付け時には、基端部８１の対向面８１ｂと後部７１の対向面７１ａとが接着されることになるが、基端部８１の高さが低いことで、常温常湿である定常環境下において、木質部３０にのみ上板体７０を固定した状態では、両対向面７１ａ、８１ｂとの間に上下方向の間隙部ＣＬ２が生じるようになっている。すなわち、木質部３０の厚み（高さ寸法）は、温度、湿度によって変化するが、定常環境下においては、図４（ａ）、（ｂ）に示すように、木質部３０の上面位置が基端部８１の対向面８１ｂよりも上方に位置する。
【００４０】
鍵構造体Ｋ４の組み付けは、次のようにしてなされる。まず、鍵ベース体８０の延設部８２上に木質部３０を接着固定し、木質部３０上に上板体７０を接着固定する。次に、図４（ｂ）に示すように、基端部８１の対向面８１ｂと後部７１の対向面７１ａとを固定することで、鍵構造体Ｋ４の組み付けが完了する。この固定は、上記第１〜第３の実施の形態と同様に接着及びネジ止めで行う。鍵構造体Ｋ４の長手方向において、後部７１の、間隙ＣＬ１と段差部８１ａを併せた長さＬ２の領域であるブリッジ部７１Ｂｒ２は、基端部８１及び木質部３０のいずれにも後部７１が固定状態とされていない。
【００４１】
組み付け後の鍵構造体Ｋ４は、定常環境下においては、木質部３０の上面位置が基端部８１の対向面８１ｂよりも上方に位置するので、対向面７１ａが対向面８１ｂを上方に引っ張る引張力Ｆ１が生じることになる。また、これとつ釣り合うべく、木質部３０と上板体７０との間の、特に後部の接着部ＣＯＮには、上板体７０が木質部３０を押圧する押圧力Ｒ１が生じている。
【００４２】
上板体７０と鍵ベース体８０は共に合成樹脂製であることから、両対向面７１ａ、８１ｂ間の接着剤による接着強度は高い。これに対し、木質部３０と上板体７０との接着強度は弱い。そのため、環境変化に起因する木質部３０の寸法変化に対して、木質部３０と上板体７０との特に後部の接着部ＣＯＮにおける剥離を如何に防止するかが重要となるが、定常環境下において組み付け前の間隙部ＣＬ２を設けたことで、図５で説明するように、この課題が解決されている。
【００４３】
図５は、環境変化による木質部３０の寸法変化と、各接着部に生じる反力との関係を示す鍵構造体の後半部の間隙部近傍の右側面図である。図５（ａ）〜（ｃ）は、定常環境下において間隙部ＣＬ２を設けない構成の鍵構造体、図５（ｄ）〜（ｆ）は、本実施の形態（定常環境下において間隙部ＣＬ２を設ける構成）の鍵構造体Ｋ４をそれぞれ示す。図（ａ）、（ｄ）が低湿環境下、図５（ｂ）、（ｅ）が定常環境下、図５（ｃ）、（ｆ）が高湿環境下の状態を示している。
【００４４】
図５（ａ）〜（ｃ）の構成では、まず、定常環境下では、図５（ｂ）に示すように、対向面７１ａ、接着部ＣＯＮ２には、引張力及び押圧力のいずれもほとんど生じない。また、高湿環境下では、木質部３０が膨張し、図５（ｃ）に示すように、対向面７１ａには、対向面８１ｂに対する上方への引張力Ｆｂが、接着部ＣＯＮ２には、上板体７０が木質部３０を押圧する押圧力Ｒｂがそれぞれ生じる。一方、低湿環境下では、木質部３０が収縮して、図５（ａ）に示すように、木質部３０の上面位置が基端部８１の対向面８１ｂよりも低くなるため、対向面７１ａに押圧力Ｆａが、接着部ＣＯＮ２に引張力Ｒａが生じる。この引張力Ｒａが生じることで、接着強度の弱い接着部ＣＯＮ２において上板体７０と木質部３０との剥離が生じやすい。
【００４５】
これに対し、本実施の形態の鍵構造体Ｋ４では、定常環境下では、図４（ｂ）、図５（ｅ）に示すように、対向面７１ａに引張力Ｆ１が生じ、接着部ＣＯＮには押圧力Ｒ１が生じている。高湿環境下では、木質部３０が膨張し、図５（ｆ）に示すように、対向面７１ａには引張力Ｆ２（Ｆ２＞Ｆ１）、接着部ＣＯＮには押圧力Ｒ１（Ｒ２＞Ｒ１）が、それぞれ生じる。これらの状態では、接着部ＣＯＮには押圧力しか生じないため、接着部ＣＯＮにおける引張力による剥離のおそれがない。
【００４６】
一方、図５（ｄ）に示すように、低湿環境下において、木質部３０が収縮して、木質部３０の上面位置が基端部８１の対向面８１ｂとほぼ面一になると、対向面７１ａ、接着部ＣＯＮには、引張力及び押圧力のいずれもほとんど生じない。特に、低湿環境下でも接着部ＣＯＮに引張力が生じないことで、木質部３０と上板体７０との剥離が防止される。
【００４７】
木質部３０の寸法変化を吸収するべく、ブリッジ部７１Ｂｒ２（図４（ｂ）参照）が変形することになるが、上記引張力及び押圧力を小さいものとする観点から、ブリッジ部７１Ｂｒ２の長さＬ２は、主に高湿時を考慮して十分に長く確保するのが望ましく、例えば、１６ｍｍ程度に設定される。
【００４８】
本実施の形態によれば、第３の実施の形態と同様の効果を奏するだけでなく、環境変化に起因して木質部３０の上下方向の厚みが増大しても、上板体７０と木質部３０との間に離間方向の大きな力（引張力）が生じにくいようにして、接着部ＣＯＮにおける両者の剥離を防止することができる。
【００４９】
なお、本実施の形態では、金型成形により、上板体７０の後部７１が真っ直ぐ延設しているものとしたが、これに限るものでなく、後部７１が上方または下方に曲がっている場合であってもよい。すなわち、後部７１の曲がりの程度と、基端部８０の後端部の高さＨ１の設定との組み合わせにより、定常環境下における鍵構造体Ｋ４の組み付け後に、後部７１の対向面７１ａが基端部８１の対向面８１ｂを引っ張る力が生じるように設定すればよい。好ましくは、想定される低湿時において、接着部ＣＯＮに引張力が生じないか、生じても小さい力であるように設定すればよい。
【図面の簡単な説明】
【００５０】
【図１】本発明の第１の実施の形態に係る鍵構造体の平面図（図（ａ））、同鍵構造体の右側面図（図（ｂ））、同鍵構造体の後部を示す分解斜視図（図（ｃ））である。
【図２】本発明の第２の実施の形態に係る鍵構造体の後半部の右側面図（図（ａ））、同鍵構造体の間隙部近傍の右側面図（図（ｂ）、（ｃ））である。
【図３】本発明の第３の実施の形態に係る鍵構造体の後半部の右側面図（図（ａ））、同鍵構造体の間隙部近傍の右側面図（図（ｂ）、（ｃ））である。
【図４】本発明の第４の実施の形態に係る鍵構造体の後半部の間隙部近傍の右側面図である。
【図５】環境変化による木質部の寸法変化と、各接着部に生じる反力との関係を示す鍵構造体の後半部の間隙部近傍の右側面図である。
【符号の説明】
【００５１】
１０、４０、７０  上板体、  １０ａ  演奏操作面、  １１ａ、１１ｂ、１１ｃ  貫通穴、  １１、４１、７１  後部（接続部）、  ２０、６０、８０  鍵ベース体、  ２１、６１、８１  基端部、  ２２、６２  延設部、  ２２ａ  上面（上部）、  ２２Ｂｒ、６２Ｂｒ  ブリッジ部（延設部のうち間隙部の近傍部分）、  ３０  木質部、  ３０ａ  上面（上部）、  ４１Ｂｒ  ブリッジ部（接続部のうち間隙部の近傍部分）、  ４１Ｂｒ２  ブリッジ部（領域）、  ７１ａ  対向面（対向部）、  ８１ｂ  対向面（対向部）、  Ｋ１〜Ｋ４  鍵構造体、  Ｌ１  長さ、  ＣＬ１、ＣＬ２  間隙部、  Ｆ１  引張力
【図１】
2005195795.tif 000003
【図２】
2005195795.tif 000004
【図３】
2005195795.tif 000005
【図４】
2005195795.tif 000006
【図５】
2005195795.tif 000007